(57)【要約】【課題】   オーバーフロー配管を採用することなく余剰水を排出し、貯水時に槽体内の水位を一定に保つようにした排水装置について、貯水する水位及び排水を開始する水位を任意のものとして設定可能な排水装置を提供することを課題とする。【解決手段】槽体である洗面ボウルＢの排水口２を開閉する弁部材５は、洗面ボウルＢ内からの圧力が設定した値を超えた時に開口し、余剰水を下水側に排出する圧力弁５と、圧力弁５が開口する圧力を任意に設定する圧力調整機構４０を備えている。圧力弁１５は磁石１７と磁石１８が引き合う方向に働く磁力によって作動している。圧力調整機構４０は、雄螺子部４１と雌螺子部４２から成り、磁石同士の距離を変位させ、磁力を調整することによって、槽体や用途、使用者毎に異なる望ましい高さに合わせて適宜湯水の貯留可能水位を設定することが可能となる。【選択図】図４
2020084712.tif 000002
【特許請求の範囲】
【請求項１】
槽体と、
槽体に備えられて槽体内の水を排出する排水口と、
排水口を開閉する弁部材から成る排水装置であって、
弁部材は、槽体内からの圧力が設定した値を超えたときに開口し、槽体内の湯水を下水側に排出する圧力弁と、
圧力弁が開口する圧力を任意に設定する圧力調整機構を備えることを特徴とする排水装置。
【請求項２】
前記圧力弁は、
磁力によって閉口するとともに、
前記圧力調整機構は、上記磁力を調整することによって圧力弁が開口する圧力を任意に設定することを特徴とする請求項１に記載の排水装置。
【請求項３】
前記圧力弁は、
弾性素材の弾性によって閉口するとともに、
前記圧力調整機構は、上記弾性素材の弾性を調整することによって圧力弁が開口する圧力を任意に設定することを特徴とする請求項１に記載の排水装置。
【請求項４】
前記圧力弁は、
重りによる加重によって閉口するとともに、
前記圧力調整機構は、上記重りの位置を調整することによって圧力弁が開口する圧力を任意に設定することを特徴とする請求項１に記載の排水装置。
【請求項５】
前記排水装置は、
弁部材に対する直接又は間接操作に伴い当該弁部材が上下動することによって排水口を開閉することを特徴とする請求項１乃至請求項４のいずれか１つに記載の排水装置。  
【発明の詳細な説明】
【技術分野】
【０００１】
本発明は、排水装置に関するものであって、更に詳しくは、槽体内に湯水が貯留された際、設定した任意の水位を超えた場合に、余剰水を排出して槽体内の任意の水位を保持する排水装置に関するものである。
【背景技術】
【０００２】
洗面台や流し台、浴槽等、槽体を備え、使用によって排水を生じる機器において、槽体内部に生じた湯水を、下水側へ排出するための排水装置が知られている。
上記排水装置は、槽体の底面に排水口を形成し、当該排水口から排水配管を利用して槽体内の湯水を下水側に排出している。又、槽体の側面にオーバーフロー排水口を形成することによって、当該オーバーフロー排水口まで湯水が貯留されると、余剰水がオーバーフロー排水口へと流入するとともに、当該オーバーフロー排水口から連続するオーバーフロー流路を通じて下水側へと排出する構造となっている。これによって、オーバーフロー排水口が形成された水位以上に湯水が貯留されることを防ぐとともに、槽体から湯水が溢れてしまうことを防止している。
【０００３】
ここで、近年意匠性や清掃性、衛生面等の理由から、槽体にオーバーフロー排水口が形成されていない場合があり、このような槽体においては余剰水を排出することが不可能であった。
【０００４】
そこで、特許文献１に記載された排水装置においては、槽体にオーバーフロー排水口を設けることなく、余剰水を下水側へと排出する構造が提案されている。当該特許文献１の排水装置は、槽体内からの圧力が設定した値を超えたときに開口し、槽体内の湯水を下水側に排出する圧力弁を備えている。
上記圧力弁は槽体内の水位が所定以上となった際に加わる水圧によって開口し、余剰水を排出するとともに、水位が所定以下となった際には閉口し、再び所定水位まで貯水を行うことが可能となる。
【先行技術文献】
【特許文献】
【０００５】
【特許文献１】特願２０１７−１１４７６９
【発明の概要】
【発明が解決しようとする課題】
【０００６】
ここで、上記槽体は浅型や深型等の形状や、使用される用途によって、それぞれに望ましい湯水の貯留水位が異なる。又、当該槽体を使用する使用者によっても望ましい湯水の貯留水位が異なる。しかし、上記従来の排水装置は、一定の圧力で必ず圧力弁が作動することから、どのような槽体に取り付けられても一定の水位までは必ず湯水を貯留してしまうとともに、一定の水位以上は貯留することは不可能であった。
【０００７】
本発明は上記問題点に鑑み発明されたものであって、圧力弁を利用することで、オーバーフロー配管を採用することなく、貯水時に槽体内の水位を一定に保つようにした排水装置において、貯水する水位及び排水を開始する水位を任意のものとして設定可能な排水装置を提供することを課題とする。
【課題を解決するための手段】
【０００８】
上記課題を解決するための請求項１に記載の本発明は、槽体と、
槽体に備えられて槽体内の水を排出する排水口と、
排水口を開閉する弁部材から成る排水装置であって、
弁部材は、槽体内からの圧力が設定した値を超えたときに開口し、槽体内の湯水を下水側に排出する圧力弁と、
圧力弁が開口する圧力を任意に設定する圧力調整機構を備えることを特徴とする排水装置である。
【０００９】
請求項２に記載の本発明は、前記圧力弁は、
磁力によって閉口するとともに、
前記圧力調整機構は、上記磁力を調整することによって圧力弁が開口する圧力を任意に設定することを特徴とする請求項１に記載の排水装置である。
【００１０】
請求項３に記載の本発明は、前記圧力弁は、
弾性素材の弾性によって閉口するとともに、
前記圧力調整機構は、上記弾性素材の弾性を調整することによって圧力弁が開口する圧力を任意に設定することを特徴とする請求項１に記載の排水装置である。
【００１１】
請求項4に記載の本発明は、前記圧力弁は、
重りによる加重によって閉口するとともに、
前記圧力調整機構は、上記重りの位置を調整することによって圧力弁が開口する圧力を任意に設定することを特徴とする請求項１に記載の排水装置である。
【００１２】
請求項５に記載の本発明は、前記排水装置は、
弁部材に対する直接又は間接操作に伴い当該弁部材が上下動することによって排水口を開閉することを特徴とする請求項１乃至請求項４のいずれか１つに記載の排水装置である。
【発明の効果】
【００１３】
上記本発明によれば、圧力調整機構によって、槽体や用途、使用者毎に異なる望ましい高さに合わせて適宜湯水の貯留可能水位を設定することが可能となる。これにより、槽体や使用者毎に対応した圧力弁を有する弁部材を用意する必要が無く、部材の汎用性を高めることが可能となる。
【図面の簡単な説明】
【００１４】
【図１】本発明の第一実施形態を示す断面図である。
【図２】弁部材を示す断面図である。
【図３】弁部材の構成を示す分解図である。
【図４】圧力調整機構によって貯留可能水位を上昇させた（ａ）圧力弁の閉口状態を示す断面図（ｂ）開口状態を示す断面図である。
【図５】圧力調整機構によって貯留可能水位を下降させた（ａ）圧力弁の閉口状態を示す断面図（ｂ）開口状態を示す断面図である。
【図６】本発明の第二実施形態を示す断面図である。
【図７】弁部材を示す断面図である。
【図８】弁部材の構成を示す分解図である。
【図９】圧力調整機構によって貯留可能水位を上昇させた（ａ）圧力弁の閉口状態を示す断面図（ｂ）開口状態を示す断面図である。
【図１０】圧力調整機構によって貯留可能水位を下降させた（ａ）圧力弁の閉口状態を示す断面図（ｂ）開口状態を示す断面図である。
【図１１】本発明の第三実施形態の弁部材において、圧力調整機構によって貯留可能水位を上昇させた（ａ）圧力弁の閉口状態を示す断面図（ｂ）開口状態を示す断面図である。
【図１２】圧力調整機構によって貯留可能水位を下降させた（ａ）圧力弁の閉口状態を示す断面図（ｂ）開口状態を示す断面図である。
【図１３】本発明の第四実施形態において、（ａ）圧力弁の閉口状態を示す断面図（ｂ）圧力調整機構によって貯留可能水位を下降させた圧力弁の閉口状態を示す断面図である。
【発明を実施するための形態】
【００１５】
以下、図面を参照しながら本発明の第一実施形態を説明する。尚、以下に記載する説明は実施形態の理解を容易にするためのものであり、これによって発明が制限して理解されるものではない。
【００１６】
図１乃至図５に示す、本発明の第一実施形態に係る排水装置は、洗面台Ｓ、排水口本体１、吸気弁部材３、弁部材５、操作装置３０から構成されている。
【００１７】
洗面台Ｓは、槽体としての洗面ボウルＢと、当該洗面ボウルＢを載置する、内部に配管空間を備えたキャビネットＣから構成される。
洗面ボウルＢは上方が開口された箱状であって、底面には排水口本体１が取り付けられる取付口を、上縁には操作部３１を取り付ける取付口をそれぞれ備えている。
【００１８】
排水口本体１は、内部に排水流路を形成する略円筒形状であって、当該排水流路上端において排水口２を形成する。又、排水口本体１は上端より外側に突出する鍔部と、鍔部の下方において雄螺子を備えている。
上記排水口本体１は洗面ボウルＢ底面に形成された取付口に挿通された後、洗面ボウルＢ下面に配置されたナットと螺合され、鍔部とナットにより取付口周縁を挟持することで固定されている。
【００１９】
吸気弁部材３は排水口本体１の下方に配置され、その外周に外部と連通する吸気孔及び円環状の吸気弁本体が当接する弁座部を備えている。
吸気弁本体は下流側の排水配管内の圧力が大気圧と等しい状態において、上記弁座部上に載置されて吸気孔を閉塞するとともに、下流側の排水配管内が負圧になった際には当該負圧によって上昇し、吸気孔を開放することで外部の空気を排水配管内に流入させ、吸気を行うことで負圧を解消する。
【００２０】
図２及び図３に示すように、弁部材５は、弁体６、圧力弁７から構成されているとともに、弁軸２２が連結されている。弁体６は略円盤状から成る弁体上部８と、網目状の弁体下部１１と、弁体上部８を覆う弁蓋１２から成り、弁体上部８と弁体下部１１の間に後述する圧力弁本体１５が配置されている。又、圧力弁７は上記弁体上部８に形成された貫通孔９と、圧力弁本体１５から構成されている。又、弁部材５は雄螺子部４１と雌螺子部４２から成る圧力調整機構４０を備えている。
【００２１】
弁体上部８は周囲に環状のパッキンが嵌着されており、排水口２を覆うことで当該排水口２を水密的に閉塞する。又、弁体上部８はその中心を上下に貫通する貫通孔９が形成されているとともに、上面中央より上方に向けて延設された支持軸１４を介して弁蓋１２と接続されている。貫通孔９は下方に圧力弁本体１５が配置されているとともに、貫通孔９下面に形成された弁座１０に圧力弁本体１５が当接することによって開閉可能となっている。支持軸１４は先端に圧力調整機構４０としての雄螺子部４１が形成されており、同じく圧力調整機構４０としての弁蓋１２の雌螺子部４２が螺合されている。又、雄螺子部４１には緩み止めナット５０が螺合されており、弁蓋１２の螺合位置が固定されている。
弁体下部１１は上端が弁体上部８に接続されているとともに、中央下面に弁軸２２が取り付けられている。
弁蓋１２は弁体６とほぼ同径であり、弁体６及び圧力弁７を覆い隠すことで意匠面を形成する蓋部材であって、下面中央に雌螺子部４２が形成されているとともに、内部に磁石１７が埋設されている。磁石１７は後述する圧力弁本体１５内部に埋設された磁石１８と引き合うように配置されており、上記雄螺子部４１と雌螺子部４２の螺合により、磁石１８との距離を調整可能となっている。
圧力弁本体１５は断面視略コの字状であって、弁体６内部を上下動自在に配置されており、上端に止水部１６を有するとともに、内部に磁石１８が埋設されている。止水部１６はゴム等の弾性部材から成るパッキンが嵌着されており、弁体６の貫通孔９下面に形成された弁座１０に当接することで貫通孔９を水密的に閉塞する。
【００２２】
上記圧力弁本体１５と貫通孔９から成る圧力弁７は下流側の排水配管内の圧力が大気圧と等しい状態において、磁石１７と磁石１８が引き合う方向に働く磁力によって圧力弁本体１５が上昇している。この時、圧力弁本体１５は弁座１０に止水部１６が当接し、貫通孔９から連続する排水流路を閉塞している。又、圧力弁７は、圧力弁本体１５に対して上方から加わる圧力が設定された値を超えた際に開口し、上記排水流路を開放する様に構成されている。
【００２３】
弁軸２２は金属製の棒状体であって、上端が弁体下部１１に接続されているとともに、目皿の中心に形成された開口を貫通しており、その下端は操作装置３０の押上片３３に載置されている。
【００２４】
操作装置３０は操作部３１、伝達部３２、押上片３３を備え、弁部材５から離間した位置に配置された操作部３１を操作することによって、伝達部３２を介して間接的に弁部材５を上下動させる遠隔操作式排水栓装置である。
操作部３１は洗面ボウルＢの上縁であって、弁部材５から離間した位置に形成された取付口に設置されており、使用者が押し引きによって手動操作可能となっている。
伝達部３２は樹脂製のアウターチューブと、アウターチューブ内に配置された金属製のインナーワイヤから成るレリースワイヤである。インナーワイヤは一端が操作部３１に、他端が押上片３３に連結されており、操作部３１に加えられた操作に応じてアウターチューブ内を摺動することによって、上記操作を押上片３３へと伝達する。
押上片３３はインナーワイヤの摺動に応じて回動するよう構成されており、弁部材５が載置されている。
【００２５】
上記操作装置３０は、弁部材５が下降している状態において、操作部３１に対して引き上げ操作を加えると、インナーワイヤが操作部３１側に向けて摺動し、押上片３３が上方に向けて回動する。この時、弁部材５は押上片３３の回動に伴い上昇し、排水口２を開口させる。一方、上記排水口２の開口状態より、操作部３１に対して押し下げ操作を加えると、インナーワイヤが押上片３３側へと摺動し、押上片３３が下方に向けて回動することで弁部材５が下降し、排水口２を閉口させる。
【００２６】
上記弁部材５が設置された洗面ボウルＢに対して、弁部材５が下降することによって排水口２が閉塞されている状態において、所定水位以下の湯水が貯留されている時、磁石１７と磁石１８が引き合う方向に働く磁力による付勢が圧力弁本体１５に加わる水圧よりも強いため、図４（ａ）に示すように、圧力弁本体１５は磁力によって上昇しており、弁座１０に止水部１６が当接し、閉口状態を維持している。従って、使用者は所定水位まで湯水を貯留することができる。
ここで、所定水位以上の湯水が洗面ボウルＢに貯留されると、圧力弁７は槽体より加わる圧力が設定された値を超えることによって開口する。即ち、磁石１７と磁石１８が引き合う方向に働く磁力による付勢よりも湯水の貯留によって圧力弁本体１５に加わる水圧が上回るため、圧力弁本体１５が磁力に反して押し下げられる。この時、図４（ｂ）に示すように、弁座１０から止水部１６が離間し、貫通孔９より洗面ボウルＢ内の余剰水が排出される。尚、当該排出された余剰水は弁体下部１１の網目部分を通過し、下水側へと排出される。
上記排出に伴い洗面ボウルＢ内の水位が低下すると、圧力弁本体１５に加わる水圧が徐々に低下する。そして、磁石１７と磁石１８が引き合う方向に働く磁力が水圧よりも上回ると、再び圧力弁本体１５が上昇する。この時、弁座１０に止水部１６が当接することによって圧力弁７が閉口することで湯水を再び貯留可能となる。
【００２７】
上記排水装置は、雄螺子部４１と雌螺子部４２から成る圧力調整機構４０を備えており、以下のようにして圧力弁７が開口する圧力の値を任意に設定することで槽体内に貯留可能な水位を設定することができる。
まず、貯留可能水位を上昇させる場合、図４に示すように、雄螺子部４１と雌螺子部４２を締め付ける。上述の通り、弁蓋１２には磁石１７が、圧力弁本体１５には磁石１８がそれぞれ配置されているため、雄螺子部４１と雌螺子部４２の締め付けによって磁石同士が近接する。ここで、磁力は磁石間の距離の２乗に反比例するため、螺合によって磁石１７と磁石１８が近接すると、磁力が強まることにより圧力弁本体１５が強く弁座１０に当接する。従って、圧力弁本体１５が弁座１０から離間し、貫通孔９が開口するために必要な圧力が増大することから、洗面ボウルＢ内に貯留可能な水位が上昇する。
次に、貯留可能水位を下降させる場合、図５に示すように、雄螺子部４１と雌螺子部４２を緩める。この時、磁石同士が離間することによって、磁石間に働く磁力が弱まることにより圧力弁本体１５が弁座１０に当接する力が低下する。従って、圧力弁本体１５が弁座１０から離間し、貫通孔９が開口するために必要な圧力が減少することから、洗面ボウルＢ内に貯留可能な水位が下降する。
尚、弁体６と弁蓋１２の相対位置を調整後、緩み止めナット５０を締め付けることによって弁蓋１２の高さ位置を固定し、貯留可能な湯水の水位が変動することを防ぐことができる。
【００２８】
以上のように、本発明の排水装置は圧力調整機構４０により磁石同士の距離を変位させ、磁力を調整することによって、槽体や用途、使用者毎に異なる望ましい高さに合わせて適宜湯水の貯留可能水位を設定することが可能となる。これにより、槽体や使用者毎に対応した磁石を備えた弁部材を用意する必要が無く、部材の汎用性を高めることが可能となる。
尚、所定水位以上の湯水が洗面ボウルＢに貯留され、余剰水が排出された際、排水配管内部が満水状態となると、サイホン現象によって排水配管内に強い負圧が生じ、洗面ボウルＢ内の湯水が下流側へと引き込まれる。この時、圧力弁本体１５が負圧によって下方に引き込まれるため、洗面ボウルＢ内の水位が所定以下となっても圧力弁本体１５が上昇することができない恐れがある。しかし、本発明は吸気弁部材３を備えており、負圧発生時には吸気弁部材３内部に配置された吸気弁本体が上昇し、吸気孔から吸気を行うことで当該負圧を解消し、水位を所定高さに保つことが可能となる。
尚、上記第一実施形態において、圧力弁７は磁石１７と磁石１８が引き合う方向に働く磁力によって閉口する構造であることから、開口時における余剰水の排水流量を確保することができる。即ち、上述の通り磁力は磁石間の距離の２乗に反比例することから、一度磁石１７と磁石１８が離間すると、磁力により引き合う力が急激に減衰するため、圧力弁７を瞬時に大きく開口させることができる。これにより、流量不足によって槽体から余剰水が溢れてしまうことを確実に防止することができる。
【００２９】
次に、図６乃至図１０を用いて、本発明の第二実施形態について説明する。尚、上記第一実施形態とは弁部材５のみが異なるものであり、洗面台Ｓ、洗面ボウルＢ、キャビネットＣ、排水口本体１、吸気弁部材３、操作装置３０については上記第一実施形態と同一であるため、第一実施形態と同一の符号を付与してその説明を省略する。
【００３０】
図７及び図８に示すように、弁部材５は、弁体６、圧力弁７から構成されているとともに、弁軸２２が連結されている。弁体６は略円盤状から成る弁体上部８と、網目状の弁体下部１１と、弁体上部８を覆う弁蓋１２から成り、弁体上部８と弁体下部１１の間に後述する圧力弁本体１５と弾性部材であるスプリング１９が配置されている。又、圧力弁７は上記弁体上部８に形成された貫通孔９と、圧力弁本体１５と、スプリング１９から構成されている。
【００３１】
弁体上部８は周囲に環状のパッキンが嵌着されており、排水口２を覆うことで当該排水口２を水密的に閉塞する。又、弁体上部８はその中心を上下に貫通する貫通孔９が形成されている。貫通孔９は下方に圧力弁本体１５が配置されているとともに、貫通孔９上端において形成された内鍔状の弁座１０に圧力弁本体１５が当接することによって開閉可能となっている。又、弁体上部８は下端外周において、圧力調整機構４０としての雄螺子部４１が形成されており、同じく圧力調整機構４０としての弁体下部１１の雌螺子部４２が螺合されている。又、雄螺子部４１の上端には緩み止めナット５０が螺合されており、弁体下部１１の螺合位置が固定されている。
弁体下部１１は上端に形成された圧力調整機構４０としての雌螺子部４２が雄螺子部４１と螺合されることによって弁体上部８に接続されているとともに、中央下面に弁軸２２が取り付けられている。
弁蓋１２は弁体６とほぼ同径であり、弁体６及び圧力弁７を覆い隠すことで意匠面を形成する蓋部材であって、下面外周において下方に向けて複数本延設された支柱１３によって弁体６と連結している。
圧力弁本体１５は弁体６内部を上下動自在に配置されており、上端に止水部１６を有するとともに、その下面においてスプリング１９と当接しており、当該スプリング１９の弾性によって上方に向けて付勢されている。止水部１６はゴム等の弾性部材から成るパッキンが嵌着されており、弁体６の貫通孔９下面に形成された弁座１０に当接することで貫通孔９を水密的に閉塞する。
【００３２】
上記圧力弁本体１５と貫通孔９から成る圧力弁７は下流側の排水配管内の圧力が大気圧と等しい状態において、スプリング１９の弾性によって上昇している。この時、圧力弁本体１５は弁座１０に止水部１６が当接し、貫通孔９から連続する排水流路を閉塞している。又、圧力弁７は、圧力弁本体１５に対して上方から加わる圧力が設定された値を超えた際に開口し、上記排水流路を開放する様に構成されている。
【００３３】
弁軸２２は金属製の棒状体であって、上端が弁体下部１１に接続されているとともに、目皿の中心に形成された開口を貫通しており、その下端は操作装置３０の押上片３３に載置されている。
【００３４】
上記弁部材５が設置された洗面ボウルＢに対して、弁部材５が下降することによって排水口２が閉塞されている状態において、所定水位以下の湯水が貯留されている時、スプリング１９の弾性による付勢が圧力弁本体１５に加わる水圧よりも強いため、図９（ａ）に示すように、圧力弁本体１５は弾性によって上昇しており、弁座１０に止水部１６が当接し、閉口状態を維持している。
ここで、所定水位以上の湯水が洗面ボウルＢに貯留されると、圧力弁７は槽体より加わる圧力が設定された値を超えることによって開口する。即ち、スプリング１９の弾性による付勢よりも湯水の貯留によって圧力弁本体１５に加わる水圧が上回るため、圧力弁本体１５がスプリング１９の弾性に反して押し下げられる。この時、図９（ｂ）に示すように、弁座１０から止水部１６が離間し、貫通孔９より洗面ボウルＢ内の余剰水が排出される。尚、当該排出された余剰水は弁体下部１１の網目部分を通過し、下水側へと排出される。
上記排出に伴い洗面ボウルＢ内の水位が低下すると、圧力弁本体１５に加わる水圧が徐々に低下する。そして、スプリング１９による弾性が水圧よりも上回ると、再び圧力弁本体１５が上昇する。この時、弁座１０に止水部１６が当接することによって圧力弁７が閉口することで湯水を再び貯留可能となる。
【００３５】
上記排水装置は、雄螺子部４１と雌螺子部４２から成る圧力調整機構４０を備えており、以下のようにして圧力弁７が開口する圧力の値を任意に設定することで槽体内に貯留可能な水位を設定することができる。
まず、貯留可能水位を上昇させる場合、図９に示すように、雄螺子部４１と雌螺子部４２を締め付ける。上述の通り、弁体上部８と弁体下部１１の間に圧力弁本体１５と弾性部材であるスプリング１９が配置されていることから、雄螺子部４１と雌螺子部４２の締め付けによってスプリング１９が圧縮される。これにより、スプリング１９の弾性による付勢が強まり、圧力弁本体１５が強く弁座１０に当接する。従って、圧力弁本体１５が弁座１０から離間し、貫通孔９が開口するために必要な圧力が増大することから、洗面ボウルＢ内に貯留可能な水位が上昇する。
次に、貯留可能水位を下降させる場合、図１０に示すように、雄螺子部４１と雌螺子部４２を緩める。この時、スプリング１９が伸張することによって当該スプリング１９の弾性による付勢が弱まり、圧力弁本体１５が弁座１０に押し付けられる応力が低下する。従って、圧力弁本体１５が弁座１０から離間し、貫通孔９が開口するために必要な圧力が減少することから、洗面ボウルＢ内に貯留可能な水位が下降する。
尚、弁体上部８と弁体下部１１の相対位置を調整後、緩み止めナット５０を締め付けることによって、弁体下部１１の高さ位置を固定し、貯留可能な湯水の水位が変動することを防ぐことができる。
【００３６】
以上のように、本発明の排水装置は圧力調整機構４０により弾性部材であるスプリング１９の弾性を調整することよって、槽体や用途、使用者毎に異なる望ましい高さに合わせて適宜湯水の貯留可能水位を設定することが可能となる。これにより、槽体や使用者毎に対応した弾性部材を備えた弁部材を用意する必要が無く、部材の汎用性を高めることが可能となる。
尚、所定水位以上の湯水が洗面ボウルＢに貯留され、余剰水が排出された際、排水配管内部が満水状態となると、サイホン現象によって排水配管内に強い負圧が生じ、洗面ボウルＢ内の湯水が下流側へと引き込まれる。この時、圧力弁本体１５が負圧によって下方に引き込まれるため、洗面ボウルＢ内の水位が所定以下となっても圧力弁本体１５が上昇することができない恐れがある。しかし、本発明は吸気弁部材３を備えており、負圧発生時には吸気弁部材３内部に配置された吸気弁本体が上昇し、吸気孔から吸気を行うことで当該負圧を解消し、水位を所定高さに保つことが可能となる。
【００３７】
本発明の第二実施形態は以上であるが、本発明は上記第一実施形態、第二実施形態の形状に限られるものではなく、発明の要旨を逸脱しない範囲において自由に変更が可能である。例えば、図１１及び図１２に示す第三実施形態に記載の弁部材５のように、重り４４による荷重によって圧力弁７が閉口する構造であっても良い。第三実施形態において、圧力弁本体１５は支点を中心として回動可能であり、止水部１６と対向する側に重り４４が取り付けられている。重り４４は圧力調整機構４０として送りネジ４３が形成されており、重りを回動させることによってその位置を調整可能となっている。従って、図１１に示すように、重り４４を圧力弁本体１５の端部側に移動させることによって貯留可能水位を上昇させることが可能であり、逆に、図１２に示すように重り４４を支点側に移動させることによって貯留可能水位を下降させることが可能となる。
【００３８】
又、圧力調整機構４０は螺合に限られるものではない。例えば図１３に示す第四実施形態の圧力調整機構４０のように、支持軸１４が複数の凹部４５を備えるとともに、弁蓋１２が当該凹部４５と係合する凸部４６を備え、凸部４６が係合する凹部４５の位置によって圧力弁が開口する圧力を任意に設定可能としても良い。
【００３９】
本発明の実施形態は以上であるが、発明の要旨を逸脱しない範囲において、種々の設計変更を加えても良い。
例えば、圧力弁を作動させるための構造としては、上記各実施形態に記載した圧力弁以外にも、空気圧や油圧を使用しても良い。
又、上記第一実施形態においては、弁体６と弁蓋１２にそれぞれ磁石１８、磁石１７を設けていたが、一方にのみ磁石を配置し、他方には金属材を配置しても良い。又、磁石同士が反発する力を利用して圧力弁が閉口する構造としても良い。
又、圧力調整機構は第一実施形態乃至第三実施形態において記載した螺合による機構や、第四実施形態において記載した係合による機構に限られるものではない。例えば、第一実施形態のように磁力により作動する圧力弁について、段差やテーパを利用して磁石同士の距離を調整する方法を採用しても良く、摩擦やカシメ等その他の方法を採用しても良い。
又、操作装置は弁部材から離間した位置に設けられた操作部を備え、当該操作部からの間接操作によって弁部材を上下動させる遠隔操作式排水栓装置以外にも、弁部材内に昇降状態を保持する保持機能を備え、弁蓋や弁体を直接押動操作することによって弁部材が昇降するとともに、弁部材の上昇状態と下降状態が交互に保持される構造であっても良い。
【符号の説明】
【００４０】
１          排水口本体
２          排水口
３          吸気弁部材
５          弁部材
６          弁体
７          圧力弁
８          弁体上部
９          貫通孔
１０        弁座
１１        弁体下部
１２        弁蓋
１３        支柱
１４        支持軸
１５        圧力弁本体
１６        止水部
１７        磁石
１８        磁石
１９        スプリング
２２        弁軸
３０        操作装置
３１        操作部
３２        伝達部
３３        押上片
４０        圧力調整機構
４１        雄螺子部
４２        雌螺子部
４３        送りネジ
４４        重り
４５        凹部
４６        凸部
５０        緩み止めナット
Ｓ          洗面台
Ｂ          洗面ボウル
Ｃ          キャビネット
【図１】
2020084712.tif 000003
【図２】
2020084712.tif 000004
【図３】
2020084712.tif 000005
【図４】
2020084712.tif 000006
【図５】
2020084712.tif 000007
【図６】
2020084712.tif 000008
【図７】
2020084712.tif 000009
【図８】
2020084712.tif 000010
【図９】
2020084712.tif 000011
【図１０】
2020084712.tif 000012
【図１１】
2020084712.tif 000013
【図１２】
2020084712.tif 000014
【図１３】
2020084712.tif 000015